(57)【要約】【課題】  吸収式冷凍機において、パラレルフロー二重効用吸収式冷凍機としての機能を維持しつつ、成績係数の向上および省エネルギー化さらには機器全体の小型化を図ること。    【解決手段】  吸収式冷凍機は、吸収器１からの稀溶液を低温溶液熱交換器４０を経て分流し、その一方を高温溶液熱交換器５を経て高温再生器６へ送り込み、その他方を低温再生器７へ送り込み、それぞれの再生器６、７で稀溶液を濃縮するものである。低温再生器７は高温再生器６で分離された冷媒を加熱源として用いられる。そして、吸収器１からの稀溶液を低温溶液熱交換器４０より手前で分流し、その分流された稀溶液を冷媒ドレン熱回収器１０に送り込み、冷媒ドレン熱回収器１０からの稀溶液を分流部５２の手前に合流させるとともに、低温再生器７からの冷媒ドレンを冷媒ドレン熱回収器１０の稀溶液と熱交換するように供給する。【選択図】  図１
2005282880.tif 000002
【特許請求の範囲】
【請求項１】
吸収器からの稀溶液を低温溶液熱交換器に送り込み、前記低温溶液熱交換器からの稀溶液を分流し、その分流された一方の稀溶液を高温溶液熱交換器を経て高温再生器へ送り込み、その分流された他方の稀溶液を低温再生器へ送り込み、それぞれの再生器で稀溶液を濃縮し、これらの濃縮された濃溶液を前記高温溶液熱交換器または低温溶液熱交換器を通して稀溶液と熱交換し、その熱交換された濃溶液を前記吸収器に戻るよう循環させるとともに、前記高温再生器で分離された冷媒を前記低温再生器の加熱源として供給する吸収式冷凍機において、
前記吸収器からの稀溶液を前記低温溶液熱交換器より手前で分流し、その分流された稀溶液を冷媒ドレン熱回収器に送り込み、前記冷媒ドレン熱回収器からの稀溶液を前記低温溶液熱交換器からの稀溶液の分流部の手前に合流させるとともに、前記低温再生器からの冷媒ドレンを前記冷媒ドレン熱回収器の稀溶液と熱交換するように供給することを特徴とする吸収式冷凍機。
【請求項２】
吸収器からの稀溶液を低温溶液熱交換器に送り込み、前記低温溶液熱交換器からの稀溶液を分流し、その分流された一方の稀溶液を高温溶液熱交換器を経て高温再生器へ送り込み、その分流された他方の稀溶液を低温再生器へ送り込み、それぞれの再生器で稀溶液を濃縮し、この濃縮された濃溶液を前記高温溶液熱交換器または低温溶液熱交換器を通して稀溶液と熱交換し、その熱交換された濃溶液を前記吸収器に戻るよう循環させるとともに、前記高温再生器の加熱源として蒸気を用いる吸収式冷凍機において、
前記吸収器からの稀溶液を前記低温溶液熱交換器より手前で分流し、その分流された稀溶液を蒸気ドレンクーラーに送り込み、前記蒸気ドレンクーラーからの稀溶液を前記低温溶液熱交換器からの稀溶液の分流部より低温再生器側に合流させるとともに、前記高温再生器からの蒸気ドレンを前記蒸気ドレンクーラーの稀溶液と熱交換するように供給することを特徴とする吸収式冷凍機。
【請求項３】
吸収器からの稀溶液を低温溶液熱交換器に送り込み、前記低温溶液熱交換器からの稀溶液を分流し、その分流された一方の稀溶液を高温溶液熱交換器を経て高温再生器へ送り込み、その分流された他方の稀溶液を低温再生器へ送り込み、それぞれの再生器で稀溶液を濃縮し、この濃縮された濃溶液を前記高温溶液熱交換器または低温溶液熱交換器を通して稀溶液と熱交換し、その熱交換された濃溶液を前記吸収器に戻るよう循環させるとともに、前記高温再生器の加熱源として蒸気を用いる吸収式冷凍機において、
前記低温溶液熱交換器からの稀溶液の分流部より高温再生器側で稀溶液を分流し、その分流された稀溶液を蒸気ドレンクーラーに送り込み、前記蒸気ドレンクーラーからの稀溶液を前記高温溶液熱交換器からの稀溶液に合流させるとともに、前記高温再生器からの蒸気ドレンを前記蒸気ドレンクーラーの稀溶液と熱交換するように供給することを特徴とする吸収式冷凍機。
【請求項４】
吸収器からの稀溶液を低温溶液熱交換器に送り込み、前記低温溶液熱交換器からの稀溶液を分流し、その分流された一方の稀溶液を高温溶液熱交換器を経て高温再生器へ送り込み、その分流された他方の稀溶液を低温再生器へ送り込み、それぞれの再生器で稀溶液を濃縮し、この濃縮された濃溶液を前記高温溶液熱交換器または低温溶液熱交換器を通して稀溶液と熱交換し、その熱交換された濃溶液を前記吸収器に戻るよう循環させるとともに、前記高温再生器の加熱源として蒸気を用いる吸収式冷凍機において、
前記低温溶液熱交換器からの稀溶液の分流部より高温再生器側で稀溶液を分流し、その分流された稀溶液を第１蒸気ドレンクーラーに送り込み、前記第１蒸気ドレンクーラーからの稀溶液を前記高温溶液熱交換器からの稀溶液に合流させるとともに、前記高温再生器からの蒸気ドレンを前記第１蒸気ドレンクーラーの稀溶液と熱交換するように供給し、前記吸収器からの稀溶液を前記低温溶液熱交換器より手前で分流し、その分流された稀溶液を第２蒸気ドレンクーラーに送り込み、前記第２蒸気ドレンクーラーからの稀溶液を前記低温溶液熱交換器からの稀溶液の分流部より低温再生器側に合流させるとともに、前記第１蒸気ドレンクーラーからの蒸気ドレンを前記第２蒸気ドレンクーラーの稀溶液と熱交換するように供給することを特徴とする吸収式冷凍機。
【請求項５】
吸収器からの稀溶液を低温溶液熱交換器に送り込み、前記低温溶液熱交換器からの稀溶液を分流し、その分流された一方の稀溶液を高温溶液熱交換器を経て高温再生器へ送り込み、その分流された他方の稀溶液を低温再生器へ送り込み、それぞれの再生器で稀溶液を濃縮し、この濃縮された濃溶液を前記高温溶液熱交換器または低温溶液熱交換器を通して稀溶液と熱交換し、その熱交換された濃溶液を前記吸収器に戻るよう循環させるとともに、前記高温再生器で分離された冷媒を前記低温再生器の加熱源として供給し、更には前記高温再生器の加熱源として蒸気を用いる吸収式冷凍機において、
前記吸収器からの稀溶液を前記低温溶液熱交換器より手前で分流し、その分流された稀溶液を冷媒ドレン熱回収器に送り込み、前記冷媒ドレン熱回収器からの稀溶液を前記低温溶液熱交換器からの稀溶液の分流部の手前に合流させるとともに、前記低温再生器からの冷媒ドレンを前記冷媒ドレン熱回収器の稀溶液と熱交換するように供給し、前記低温溶液熱交換器からの稀溶液の分流部より高温再生器側で稀溶液を分流し、その分流された稀溶液を第１蒸気ドレンクーラーに送り込み、前記第１蒸気ドレンクーラーからの稀溶液を前記高温溶液熱交換器からの稀溶液に合流させるとともに、前記高温再生器からの蒸気ドレンを前記第１蒸気ドレンクーラーの稀溶液と熱交換するように供給し、前記吸収器からの稀溶液を前記低温溶液熱交換器より手前で分流し、その分流された稀溶液を第２蒸気ドレンクーラーに送り込み、前記第２蒸気ドレンクーラーからの稀溶液を前記低温溶液熱交換器からの稀溶液の分流部より低温再生器側に合流させるとともに、前記第１蒸気ドレンクーラーからの蒸気ドレンを前記第２蒸気ドレンクーラーの稀溶液と熱交換するように供給することを特徴とする吸収式冷凍機。
【発明の詳細な説明】
【技術分野】
【０００１】
本発明は、吸収式冷凍機に係り、特に、溶液の循環方式がパラレルフロー式の二重効用吸収式冷凍機に好適なものである。
【背景技術】
【０００２】
従来のパラレルフロー二重効用吸収式冷凍機としては、図２に示すものがある（従来技術１）。図２は従来技術１のパラレルフロー式の蒸気焚二重効用吸収冷凍機の構成図である。なお、図２中の矢印は溶液および冷媒の流れ方向を示している。
【０００３】
この吸収式冷凍機は、吸収器１からの溶液が分流され、その一部が高温再生器６へ送り込まれ、その残りが低温再生器７へ送り込まれる、というパラレルフローを構成している。この吸収式冷凍機における吸収サイクルについて以下に説明する。まず、吸収器1内に配置された冷却管４３上にスプレーされる臭化リチウム水溶液に、蒸発器９で発生する冷媒蒸気が吸収され、その臭化リチウム水溶液が稀薄になる。この稀溶液は、溶液循環ポンプ２により低温溶液熱交換器３に送り込まれ、低温溶液熱交換器３を出てから分流される。分流された一方の稀溶液は、温溶液熱交換器５に送り込まれた後、高温再生器６へ送り込まれる。分流された他方の稀溶液は、低温再生器７へ送り込まれる。高温再生器６に送り込まれた稀溶液は、この高温再生器６内で熱源により加熱されて冷媒蒸気と濃溶液に分離される。また、低温再生器７に送り込まれた稀溶液は、高温再生器６で発生した冷媒蒸気により加熱されて冷媒蒸気と濃溶液に分離される。このようにして濃縮された濃溶液は再び高温溶液熱交換器５、低温溶液熱交換器４を経て吸収器１内にスプレーされる。低温再生器７を加熱して凝縮した冷媒ドレンは凝縮器８へ導かれ、低温再生器７で発生した冷媒蒸気は凝縮器８に導かれて凝縮器８で凝縮する。このようにしてできた凝縮冷媒は蒸発器９へ導かれスプレーされてサイクルを一巡する。
【０００４】
一方、従来の二重効用吸収式冷凍機としては、特開２００１−１３３０７０号公報に示すものがある（従来技術２）。この従来技術２の吸収式冷凍機の溶液循環方式は、吸収液を吸収器から順に低温熱交換器、低温再生器、高温熱交換器、蒸気加熱式高温再生器、高温溶液熱交換器および低温熱交換機を経て吸収器に戻るよう循環させる、リバースフローと呼ばれる方式である。そして、この吸収式冷凍機には、低温熱交換器と並列に冷媒ドレン熱交換器を接続することが示されているとともに、高温熱交換器と並列に排ガス熱回収器を接続することが示されている。
【０００５】
【特許文献１】特開２００１−１３３０７０号公報
【発明の開示】
【発明が解決しようとする課題】
【０００６】
一般に、溶液循環方式がパラレルフローの吸収式冷凍機は、リバースフローの吸収式冷凍機より高温再生器の温度が高くなるという特徴がある。つまり、パラレルフロー吸収冷凍機は、他の溶液循環方式の吸収式冷凍機より顕熱ロスが大きくなりやすいサイクルであると言える。このため、パラレルフロー吸収式冷凍機では、溶液の顕熱を回収する溶液熱交換器の配置や構成が重要であるが、従来技術１のパラレルフロー吸収式冷凍機は、サイクル内の全ての熱量を有効活用しているとは言い難く、これによってサイクル内の顕熱ロスが大きくなっていた。
【０００７】
また、従来技術２の吸収式冷凍機はリバースフロー吸収式冷凍機であり、その特許文献１にはサイクル構成が基本的に異なるパラレルフロー吸収冷凍機に適用することについては開示されていなかった。
【０００８】
本発明の目的は、パラレルフロー二重効用吸収式冷凍機としての機能を維持しつつ、冷媒ドレンまたは蒸気ドレンの熱量を稀溶液に与えることによってサイクル内の顕熱ロスを低減させ成績係数の向上および省エネルギー化さらには機器全体の小型化を図ることができる吸収式冷凍機を提供することにある。
【０００９】
なお、本発明のその他の目的と有利点は以下の記述から明らかにされる。
【課題を解決するための手段】
【００１０】
前記目的を達成するために、本発明は、吸収器からの稀溶液を低温溶液熱交換器に送り込み、前記低温溶液熱交換器からの稀溶液を分流し、その分流された一方の稀溶液を高温溶液熱交換器を経て高温再生器へ送り込み、その分流された他方の稀溶液を低温再生器へ送り込み、それぞれの再生器で稀溶液を濃縮し、これらの濃縮された濃溶液を前記高温溶液熱交換器または低温溶液熱交換器を通して稀溶液と熱交換し、その熱交換された濃溶液を前記吸収器に戻るよう循環させるとともに、前記高温再生器で分離された冷媒を前記低温再生器の加熱源として供給する吸収式冷凍機において、前記吸収器からの稀溶液を前記低温溶液熱交換器より手前で分流し、その分流された稀溶液を冷媒ドレン熱回収器に送り込み、前記冷媒ドレン熱回収器からの稀溶液を前記低温溶液熱交換器からの稀溶液の分流部の手前に合流させるとともに、前記低温再生器からの冷媒ドレンを前記冷媒ドレン熱回収器の稀溶液と熱交換するように供給する構成にしたことにある。
【００１１】
また、前記目的を達成するために、本発明は、吸収器からの稀溶液を低温溶液熱交換器に送り込み、前記低温溶液熱交換器からの稀溶液を分流し、その分流された一方の稀溶液を高温溶液熱交換器を経て高温再生器へ送り込み、その分流された他方の稀溶液を低温再生器へ送り込み、それぞれの再生器で稀溶液を濃縮し、この濃縮された濃溶液を前記高温溶液熱交換器または低温溶液熱交換器を通して稀溶液と熱交換し、その熱交換された濃溶液を前記吸収器に戻るよう循環させるとともに、前記高温再生器の加熱源として蒸気を用いる吸収式冷凍機において、前記吸収器からの稀溶液を前記低温溶液熱交換器より手前で分流し、その分流された稀溶液を蒸気ドレンクーラーに送り込み、前記蒸気ドレンクーラーからの稀溶液を前記低温溶液熱交換器からの稀溶液の分流部より低温再生器側に合流させるとともに、前記高温再生器からの蒸気ドレンを前記蒸気ドレンクーラーの稀溶液と熱交換するように供給する構成にしたことにある。
【発明の効果】
【００１２】
本発明の吸収式冷凍機によれば、パラレルフロー二重効用吸収式冷凍機としての機能を維持しつつ、冷媒ドレンまたは蒸気ドレンの熱量を稀溶液に与えることによってサイクル内の顕熱ロスを低減させ成績係数の向上および省エネルギー化さらには機器全体の小型化を図ることができる。
【発明を実施するための最良の形態】
【００１３】
以下、本発明の一実施例について図１を用いて説明する。図１は本発明の一実施例であるパラレルフローの蒸気焚二重効用吸収式冷凍機の構成図である。図１において、矢印は吸収液および冷媒の流れ方向を示している。なお、本発明は、本実施例に開示した形態に限られるものではなく、公知技術などに基づく変更を許容するものである。
【００１４】
本実施例の吸収式冷凍機は、吸収器１、溶液循環ポンプ２、低温熱交換器４０、高温溶液熱交換器５、高温再生器６、低温再生器７、凝縮器８、蒸発器９からなるパラレルフロー式の二重効用吸収式冷凍機である。低温熱交換器４０は第１低温溶液熱交換器３および第２低温溶液熱交換器４により構成される。本実施例では、パラレルフロー式の二重効用吸収式冷凍機のサイクルにおいて、低温再生器の冷媒ドレンを加熱源とした冷媒ドレン熱回収器１０、高温再生器の蒸気ドレンを加熱源とした第１蒸気ドレンクーラー１１および第２蒸気ドレンクーラー１２を付加している。
【００１５】
その具体的な構成を述べると、吸収器１からの稀溶液を低温溶液熱交換器４０に送り込み、低温溶液熱交換器４０からの稀溶液を分流する構成となっている。その分流された一方の稀溶液を高温溶液熱交換器５を経て高温再生器６へ送り込み、その分流された他方の稀溶液を低温再生器７へ送り込み、それぞれの再生器で稀溶液を濃縮するする構成となっている。この濃縮された濃溶液を高温溶液熱交換器５または低温溶液熱交換器４０を通して稀溶液と熱交換し、その熱交換された濃溶液を吸収器１に戻る構成となっている。また、高温再生器６で分離された冷媒を低温再生器７の加熱源として供給する構成となっている。更には高温再生器５の加熱源として蒸気を用いる構成となっている。
【００１６】
そして、吸収器１からの稀溶液を低温溶液熱交換器４０より手前で分流し、その分流された稀溶液を冷媒ドレン熱回収器１０に送り込み、冷媒ドレン熱回収器１０からの稀溶液を低温溶液熱交換器４０からの稀溶液の分流部５２の手前に合流させるとともに、低温再生器７からの冷媒ドレンを冷媒ドレン熱回収器１０の稀溶液と熱交換するように供給する構成となっている。
【００１７】
また、低温溶液熱交換器４０からの稀溶液の分流部５２より高温再生器側で稀溶液を分流し、その分流された稀溶液を第１蒸気ドレンクーラー１１に送り込み、第１蒸気ドレンクーラー１１からの稀溶液を高温溶液熱交換器５からの稀溶液に合流させるとともに、高温再生器６からの蒸気ドレンを第１蒸気ドレンクーラー１１の稀溶液と熱交換するように供給する構成となっている。
【００１８】
更には、吸収器１からの稀溶液を低温溶液熱交換器４０より手前で分流し、その分流された稀溶液を第２蒸気ドレンクーラー１２に送り込み、第２蒸気ドレンクーラー１２からの稀溶液を低温溶液熱交換器４０からの稀溶液の分流部より低温再生器側に合流させるとともに、第１蒸気ドレンクーラー１１からの蒸気ドレンを第２蒸気ドレンクーラー１２の稀溶液と熱交換するように供給する構成となっている。
【００１９】
なお、第１低温溶液熱交換器３、第２低温溶液熱交換器４、高温再生器５、冷媒ドレン熱回収器１０、第１蒸気ドレンクーラー１１、第２蒸気ドレンクーラー１２は大きな伝熱面積を確保できるという特徴を有するプレート熱交換器を採用している。
【００２０】
蒸発器９は液冷媒を蒸発するためのものである。蒸発器９の底部には、液冷媒を貯留するタンク部が形成され、貯留された液冷媒を吸込む冷媒ポンプ９１が接続されている。この冷媒ポンプ９１は、蒸発器９内に導く冷媒スプレー配管９２を介して蒸発器９内の上部に設置された冷媒スプレー装置９３へ液冷媒を供給するように設けられている。冷媒スプレー装置９３は、蒸発器９内の冷水管４１に上部から液冷媒をスプレーするように設けられている。また、蒸発器９の内部において、冷媒スプレー装置９３の下方には、冷水を流す冷水管４１が通されている。この冷水管４１の入口側には、冷水ポンプが設けられている。冷水管４１内で冷やされた水は冷房用の冷水などとして使用される。
【００２１】
吸収器１は蒸発器９に隣接して設けられている。この吸収器１は濃溶液に冷媒蒸気を吸収して稀釈するためのものである。吸収器１の底部には、稀溶液を貯留するタンク部が形成され、貯留された稀溶液を吸込む溶液循環ポンプ２が接続されている。この溶液循環ポンプ２は、配管２１を通して、第１低温溶液熱交換器３へ稀溶液を供給するように設けられている。吸収器１の内部の上方には、溶液スプレー配管１２を通して第１低温溶液熱交換器３から導かれる濃溶液をスプレーするための溶液スプレー装置４２が設置されている。また、吸収器１の内部において、溶液スプレー装置４２の下方には、冷却水を流す冷却水管４３が通されている。この冷却水管４３の入口側には、冷却水ポンプが設けられている。
【００２２】
次に、本実施例の吸収式冷凍機における溶液の循環サイクルについて説明する。
【００２３】
まず、吸収器１で蒸発器９から発生する冷媒蒸気を吸収して濃度が薄くなった稀溶液は、溶液循環ポンプ２で昇圧され、配管２１を通り、配管２２から第１低温溶液熱交換器３へ、配管２３から冷媒ドレン熱回収器１０へ、配管２４から第２蒸気ドレンクーラー１２へと、三つの熱交換器にパラレルに供給される。従って、これらの三つの熱交換器には、同一温度の低温の稀溶液（換言すれば、冷媒ドレンや蒸気ドレンに加熱されていない稀溶液）が供給されることとなり、冷媒ドレンまたは蒸気ドレンの熱量をこれらの熱交換器の稀溶液に効率よく与えることができる。
【００２４】
第１低温溶液熱交換器３へ供給された稀溶液は、第１低温溶液熱交換器３から配管２５を通り、第２低温溶液熱交換器４へ供給される。第２低温溶液熱交換器４へ供給された稀溶液は、配管２６を流れる冷媒ドレン熱回収器１０からの稀溶液と合流される。この合流部５１は分流部５２の手前にあるため、低温溶液熱交換器４０で加熱された稀溶液および冷媒ドレン熱回収器１０で加熱された稀溶液の両方を、高温再生器６および低温再生器７の両方に利用することができる。
【００２５】
合流された稀溶液は分流部５２で分流される。その分流された一方の稀溶液は、配管２８を通り、低温再生器７へ供給される。第２蒸気ドレンクーラー１２からの稀溶液は、配管２７を通り、配管２８を流れる稀溶液と合流して低温再生器７へ供給される。従って、第２蒸気ドレンクーラー１２からの稀溶液は、高温再生器６へ供給されることなく、低温再生器７で有効に利用される。
【００２６】
その分流された他方の稀溶液は、配管２９を通り、高温溶液熱交換器５へ供給される。また、配管２９から配管３０が分岐され、この配管３０に分流された稀溶液は、高温溶液熱交換器５とパラレルに配設された第１蒸気ドレンクーラー１１に供給される。高温溶液熱交換器５からの稀溶液と第１蒸気ドレンクーラー１１からの稀溶液とは、合流されて配管３１を通り、高温再生器６へ供給される。このように、分流部５２より分流された稀溶液で、換言すれば、低温再生器側を流れる稀溶液とは独立した稀溶液で、高温再生器側に必要な性能を容易に確保することができる。
【００２７】
高温再生器６に供給された稀溶液は、高温蒸気配管４５を熱源として加熱され、濃縮された濃溶液と冷媒蒸気とに分離される。この濃縮された濃溶液は、配管３２を通り、高温溶液熱交換器５で熱交換され（高温溶液熱交換器５の稀溶液を加熱し）、配管３３を流れる低温再生器７で濃縮された濃溶液と合流される。この合流された濃溶液は、循環ポンプ４４で昇圧された後、第２低温溶液熱交換器４、第１低温溶液熱交換器３で熱交換され（第２低温溶液熱交換器４、第１低温溶液熱交換器３の稀溶液を加熱し）、吸収器１へと戻される。
【００２８】
一方、高温再生器６で分離された冷媒蒸気は、配管３５を通って低温再生器７に供給され、低温再生器７の加熱熱源となり、その後に冷媒ドレンとなる。この冷媒ドレンは、配管３６を経て、冷媒ドレン熱回収器１０の熱源に用いられた後、配管３７を通って凝縮器８に流入される。低温再生器７で分離された冷媒蒸気は凝縮器８で凝縮された冷媒ドレンとなり、冷媒ドレン熱回収器１０からの冷媒ドレンとともに配管３８を通り蒸発器９に戻される。
【００２９】
また、高温再生器６の熱源に用いた蒸気ドレンは、第１蒸気ドレンクーラー１１、第２蒸気ドレンクーラー１２の順に加熱熱源として用いられる。
【００３０】
本実施例では、上述したように、低温再生器７の冷媒ドレンを加熱熱源として稀溶液を加熱する冷媒ドレン熱回収器１０が、第１低温溶液熱交換器３、第２低温溶液熱交換器４にパラレルに配設される。これによって、外部から供給する必要のある加熱熱量の一部を冷媒ドレンにより賄えるため、その加熱熱量を冷媒ドレン熱回収器１０のない場合に比べ低減することが可能になるとともに、凝縮器８へ流入する冷媒ドレンの温度が低下することにより凝縮器８での冷媒凝縮温度を低下させることが可能となることから、ＣＯＰ（成績係数）の向上が図れる。
【００３１】
また、高温再生器６の蒸気ドレンを加熱熱源とした第１蒸気ドレンクーラー１１が高温溶液熱交換器５とパラレルに配設される。これによって、外部から供給する必要のある加熱熱量の一部を蒸気ドレンにより賄えるため、その加熱熱量を第１蒸気ドレンクーラー１１のない場合に比べ低減することが可能になり、ＣＯＰ（成績係数）の向上が図れる。
【００３２】
更には、第１蒸気ドレンクーラー１１で熱交換した後の蒸気ドレンを加熱熱源とした第２蒸気ドレンクーラー１２が第１低温溶液熱交換器３、第２低温溶液熱交換器４および冷媒ドレン熱回収器１０とパラレルに配設される。これによって、外部から供給する必要のある加熱熱量の一部を蒸気ドレンにより賄えるため、その加熱熱量を第２蒸気ドレンクーラー１２のない場合に比べ低減することが可能になり、ＣＯＰ（成績係数）の向上が図れる。
【００３３】
低温溶液熱交換器では、他の熱交換器に比べて溶液流量が多いため大きな伝熱面積を必要とする。一つの熱交換器で伝熱面積を増やす方法としては、プレートの枚数を増やす方法が考えられるが、プレート熱交換器内の流速が低下することにより伝熱性能が低下するために、熱交換量の増加量は低下してしまう。そこで、本実施例では、従来と同等の伝熱面積を持った第１低温溶液熱交換器３に加えて、第２低温溶液熱交換器４をシリーズに設置することにより熱交換量を増加させている。
【００３４】
また、蒸気ドレンクーラー１１、１２を二つ設けることで、第２蒸気ドレンクーラー１２を通過する稀溶液流量減少させ、第１低温溶液熱交換器３、第２低温溶液熱交換器４を流れる稀溶液流量を確保することにより、吸収器１に戻る濃溶液の温度を低下させることができるので、吸収管群内を流れる冷却水によって機外に放出される熱量の低減が図れる。
【００３５】
なお、本実施例においては蒸気ドレンクーラーを２個設置していたが、２個以上の複数個設置されてもよい。
【図面の簡単な説明】
【００３６】
【図１】本発明の一実施例であるパラレルフローの蒸気焚二重効用吸収式冷凍機の構成図である。
【図２】従来技術１のパラレルフローの二重効用吸収冷凍機の構成図である。
【符号の説明】
【００３７】
１…吸収器、２…溶液循環ポンプ、３…第１低温溶液熱交換器、４…第２低温溶液熱交換器、５…高温溶液熱交換器、６…高温再生器、７…低温再生器、８…凝縮器、９…蒸発器、１０…冷媒ドレン熱回収器、１１…第１蒸気ドレンクーラー、１２…第２蒸気ドレンクーラー、２１〜３８…配管、４０…低温溶液熱交換器。
【図１】
2005282880.tif 000003
【図２】
2005282880.tif 000004